(57)【要約】【課題】  引き出しの側方の物品収納空間を広くする。【解決手段】  前面に物品出し入れ口４を有する収納庫本体３と、この収納庫本体３の前部に左右動自在に設けられた２枚の引き戸４０と、収納庫本体３の物品収納空間２３の左側部又は右側部に設けられた少なくとも１つの引き出し２６とを有し、前記引き出し２６が、左右いずれかの引き戸４０を完全に開いた際に形成される開口に対向するようになされ、且つ、引き出し２６の左右幅が前記開口の左右幅に等しいかやや短くなされ、前記引き出し２６の、収納庫本体３の中央側部が、収納庫本体３の中央側の固定の引き出し用ガイド側板２７に前後動自在に案内されるようになされ、引き出し用ガイド側板２７の、引き出し２６と逆の側が物品収納空間２３に直接臨んでいる。【選択図】  図１
2005304579.tif 000002
【特許請求の範囲】
【請求項１】
前面に物品出し入れ口を有する収納庫本体と、この収納庫本体の前部に左右動自在に設けられた２枚の引き戸と、収納庫本体の物品収納空間の左側部又は右側部に設けられた少なくとも１つの引き出しとを有し、前記引き出しが、左右いずれかの引き戸を完全に開いた際に形成される開口に対向するようになされ、且つ、引き出しの左右幅が前記開口の左右幅に等しいかやや短くなされ、前記引き出しの、収納庫本体の中央側部が、収納庫本体の中央側の固定の引き出し用ガイド側板に前後動自在に案内されるようになされ、引き出し用ガイド側板の、引き出しと逆の側が物品収納空間に直接臨んでいる物品収納庫。
【発明の詳細な説明】
【技術分野】
【０００１】
本発明は物品収納庫に関する。
【背景技術】
【０００２】
従来、この種の物品収納庫として図２〜図５に示すものは知られている。
以下、図２〜図５を参照しつつ、従来の物品収納庫を説明する。なお、この説明において、前とは図２紙面表側を、後とは同裏側をいい、左とは図２左側を、右とは同図右側をいう。
物品収納庫１の、前面に物品出し入れ口４を有する収納庫本体３は、左右の側板６と、左右の側板６の下部に渡された底板７と、左右の側板６の上部に渡された天板８と、側板６、底板７及び天板８の後部に取り付けられた背板９と、底板７の下面に設けられた所要本の脚１０とを有している。
【０００３】
前記収納庫本体３の前部には、２枚の引き戸１２が、図４及び図５に示す公知の構造により左右動自在に設けられている。図４に示すごとく、底板７の下部に長手方向を左右方向に向けた下部ガイドレール１３が設けられ、この下部ガイドレール１３に各引き戸１２にブラケット１４を介して設けられた２個の車輪１５（軸心を上下方向に向けている）が左右動自在に嵌められている。また、図５に示すごとく、天板８の前部に長手方向を左右方向に向けた上部ガイドレール１８が設けられ、この上部ガイドレール１８に各引き戸１２にブラケット１９を介して設けられた２個の車輪２０（軸心を前後方向に向けている）が左右動自在に載置されている。
【０００４】
前記引き戸１２の可動距離は図３に示すごとく「Ｌ」となされている。
【０００５】
前記収納庫本体３の物品収納空間２３の左右方向中央に位置するようにして中央の垂直仕切板２４が設けられている。
前記物品収納空間２３の左側下部に、３つの引き出し２６が前後動自在に設けられている。前記引き出し２６は、左側の引き戸１２を完全に開いた際に形成される開口に対向するようになされ、且つ、引き出し２６の左右幅（引き出し２６の前後動する部分の最大左右幅をいう。）が前記開口の左右幅Ｌに等しいかやや短くなされている。前記引き出し２６の、収納庫本体３の中央側部（右側部）が、収納庫本体３の中央側の固定の引き出し用ガイド側板２７に公知のガイド機構（図示略）を介して前後動自在に案内されるようになされ、また、引き出し２６の、左側の側板６に対向する部分（左側部）が、左側の側板６に公知のガイド機構（図示略）を介して前後動自在に案内されるようになされている。
【０００６】
前記引き出し用ガイド側板２７と中央の垂直仕切板２４との間にスペーサー板２９が介在されている。
【０００７】
前記引き出し２６が設けられていない残りの物品収納空間２３には、所要枚の棚板３０が設けられている。
【特許文献１】特開平１１−１７８，６５５号公報
【発明の開示】
【発明が解決しようとする課題】
【０００８】
前記従来の物品収納庫１には以下の如き欠点があった。
引き出し２６と同一高さ位置に位置する中央の垂直仕切板２４及びスペーサー板２９の分だけ、引き出し２６の側方の物品収納空間２３が狭くなるという欠点があった。
【課題を解決するための手段】
【０００９】
本発明は前記欠点を解消するために以下の如き手段を採用した。
請求項１の発明は、前面に物品出し入れ口を有する収納庫本体と、この収納庫本体の前部に左右動自在に設けられた２枚の引き戸と、収納庫本体の物品収納空間の左側部又は右側部に設けられた少なくとも１つの引き出しとを有し、前記引き出しが、左右いずれかの引き戸を完全に開いた際に形成される開口に対向するようになされ、且つ、引き出しの左右幅が前記開口の左右幅に等しいかやや短くなされ、前記引き出しの、収納庫本体の中央側部が、収納庫本体の中央側の固定の引き出し用ガイド側板に前後動自在に案内されるようになされ、引き出し用ガイド側板の、引き出しと逆の側が物品収納空間に直接臨んでいるものである。
【発明の効果】
【００１０】
本発明は前記した如き構成によって以下の如き効果を奏する。
請求項１の発明によれば、従来と相違して、引き出しと同一高さ位置に位置する中央の垂直仕切板及びスペーサー板がないので、その分だけ、引き出しの側方の物品収納空間を広くすることが出来る。
【発明を実施するための最良の形態】
【００１１】
以下に本発明の実施の形態を説明する。
なお、この説明において、前とは図１紙面表側を、後とは同裏側をいい、左とは図１左側を、右とは同図右側をいう。また、図２〜図５に示す部材と同一の部材は同一の符号で示す。
【００１２】
引き出し用ガイド側板２７の、引き出し２６と逆の側（右側）が物品収納空間２３に直接臨んでいる。即ち、引き出し用ガイド側板２７の右側方には、従来は存在した中央の垂直仕切板２４及びスペーサー板２９がない。
【００１３】
各引き戸４０は、上下の框４１と左右の框４２とからなる枠４３と、左右の框４２に枠４３内の空間を上下に仕切るようにして渡された２本の中框４４と、前記枠４３内の空間を閉塞する上中下３枚の鏡板４６、４７、４８とを有している。
【００１４】
以下に変形例等について説明を加える。
（１）各引き戸４０の構造は任意である。
（２）上の鏡板４６、中の鏡板４７、下の鏡板４８の素材は任意である。
【図面の簡単な説明】
【００１５】
【図１】本発明の実施の形態を示す簡略の一部破砕正面図である。
【図２】従来の物品収納庫を示す簡略の一部破砕正面図である。
【図３】図２のＩＩＩ−ＩＩＩ線断面図である。
【図４】図２のＩＶ−ＩＶ線拡大断面図である。
【図５】図２のＶ−Ｖ線拡大断面図である。
【符号の説明】
【００１６】
３  収納庫本体
４  物品出し入れ口
２３  物品収納空間
２６  引き出し
２７  引き出し用ガイド側板
４０  引き戸
【図１】
2005304579.tif 000003
【図２】
2005304579.tif 000004
【図３】
2005304579.tif 000005
【図４】
2005304579.tif 000006
【図５】
2005304579.tif 000007